(57)【要約】  本発明は、ブーツをスノーボードに固定するために用いられるビンディングに関するものである。このビンディングは、ベース板、トゥーストラップ、アンクルストラップ、トゥーストラップ又はアンクルストラップ用のストラップ締め具、トゥーストラップをアンクルストラップに連結する移動可能な連結機構を有する。締め具を操作したときに、連結機構が移動することにより、ストラップの締め具とは関係なく、ストラップを締め付けることができる。本発明では、１つのストラップの締め具を操作することにより、２つの分割されたストラップをスノーボードブーツに固定することができる。
2007533366.tif 000002
【特許請求の範囲】
【請求項１】
ベース板と、
少なくとも一端でケーブルに連結され、該ケーブルが移動可能に前記ベース板に連結されたツゥーストラップと、
少なくとも一端がケーブルに連結され、該ケーブルが移動可能に前記ベース板に連結されたアンクルストラップと、
前記アンクルストラップを前記ベース板に取り付けるために操作可能な締め具とを有し、
前記トゥーストラップ及び前記アンクルストラップのケーブルは、同一のケーブル又は、互いに連結された異なるケーブルであり、
前記締め具を操作することにより、前記トゥーストラップに連結されたケーブルを移動させるとともに、前記トゥーストラップに連結されたケーブルを前記ベース板に対して移動させることを特徴とするビンディングシステム。
【請求項２】
前記トゥーストラップに連結されたケーブルが固定される阻止部材を有し、
前記トゥーストラップに連結されたケーブルにおける前記阻止部材の位置は、前記締め具の操作において、前記ケーブルの移動を所定量に設定することを特徴とする請求項１に記載のビンディングシステム。
【請求項３】
前記トゥーストラップ及び前記アンクルストラップに連結されたケーブルは、同一の第１のケーブルであって、前記トゥーストラップの第２の端部は、第２のケーブルに連結されており、
前記第２のケーブルは、前記ベース板に移動可能に連結されているとともに、前記アンクルストラップにおいて前記第１のケーブルが連結された端部と同じ端部において、アンクルストラップに連結されていることを特徴とする請求項１に記載のビンディングシステム。
【請求項４】
前記トゥーストラップ及び前記アンクルストラップに連結されたケーブルは、互いに連結された異なる第１及び第２のケーブルであって、第３のケーブルは、前記トゥーストラップの第２の側に連結されており、
前記トゥーストラップに連結された第１及び第３のケーブルは、ヨークに連結されており、前記ヨークは、前記第２のケーブルに連結されているとともに、前記第２のケーブルが、前記アンクルストラップに連結されていることを特徴とする請求項１に記載のビンディングシステム。
【請求項５】
ローラが前記ベース板に設けられており、少なくとも１つのケーブルを前記アンクルストラップに導くことを特徴とする請求項１に記載のビンディングシステム。
【請求項６】
前記トゥーストラップ及び前記アンクルストラップに連結されたケーブルは、同一の第１のケーブルであって、第２のケーブルは、前記トゥーストラップの第２の端部に連結されており、
前記締め具は、前記アンクルストラップの第２の端部における構成要素と、前記第２のケーブルに連結された構成要素とを有し、
前記アンクルストラップの前記構成要素及び前記第２のケーブルに連結された前記構成要素は、互いに連結可能となっていることを特徴とする請求項１に記載のビンディングシステム。
【請求項７】
前記締め具は、ラチェット、歯止め及びストラップラダーとを有し、
前記ラチェット及び歯止めは、前記アンクルストラップに設けられ、前記ストラップラダーは、前記第２のケーブルと連結していることを特徴とする請求項６に記載のビンディングシステム。
【請求項８】
前記トゥーストラップは、互いに連結される少なくとも２つの部分を有しており、
前記トゥーストラップの一端は、前記ベース板に固定され、前記トゥーストラップの両端部間の長さは、前記２つの部分の係合を解除したり、分離した位置で前記２つの部分を再度連結したりすることによって、調節可能であることを特徴とする請求項１に記載のビンディングシステム。
【請求項９】
前記トゥーストラップに連結されたケーブルは、前記ベース板の一端側に固定されており、
前記トゥーストラップは、互いに移動可能な少なくとも２つの部分を有しているとともに、前記トゥーストラップの部分は、前記トゥーストラップに連結されたケーブルの移動において、互いを超えて移動可能であることを特徴とする請求項１に記載のビンディングシステム。
【請求項１０】
前記トゥーストラップ及び前記アンクルストラップに連結されたケーブルは、同一の第１のケーブルであって、前記第１のケーブルにおける第１及び第２の端部は、前記ベース板の第１及び第２の位置に固定されているとともに、前記第１のケーブルは、互いに移動可能な状態で前記アンクルストラップに連結されており、
前記アンクルストラップの移動量に対する、前記トゥーストラップに連結されたケーブルの移動量の比は、１以外であることを特徴とする請求項１に記載のビンディングシステム。
【請求項１１】
前記アンクルストラップの移動量に対する、前記トゥーストラップに連結されたケーブルの移動量の比は、１よりも大きいことを特徴とする請求項１０に記載のビンディングシステム。
【請求項１２】
前記アンクルストラップの移動量に対する、前記トゥーストラップに連結された前記ケーブルの移動量の比は、１よりも小さいことを特徴とする請求項１０に記載のビンディングシステム。
【請求項１３】
前記トゥーストラップに連結されたケーブルの移動量は、前記アンクルストラップの移動量の２倍であることを特徴とする請求項１０に記載のビンディングシステム。
【請求項１４】
前記トゥーストラップは、２つの部分に分割され、各部分は、互いに異なる第１及び第２のケーブルに連結されており、
第１及び第２のケーブルは共に、第３のケーブルと連結しており、前記第３のケーブルは、前記アンクルストラップに連結されたケーブルであることを特徴とする請求項１に記載のビンディングシステム。
【請求項１５】
前記トゥーストラップに連結されたケーブルは、ケーブルの移動に対して抗力を付与する構成の付勢機構を有することを特徴とする請求項１に記載のビンディングシステム。
【請求項１６】
前記付勢機構は、前記ケーブルに固定された阻止部材と、前記ベース板の当接部との間に配置されたバネであることを特徴とする請求項１５に記載のビンディングシステム。
【請求項１７】
ブーツを保持するベース板と、
前記ブーツのつま先部分を横断し、前記ベース板に対して移動可能な少なくとも１つの端部を有するトゥーストラップと、
前記ブーツのインステップ部分を横断し、前記ベース板に対して移動可能な少なくとも１つの端部を有するアンクルストラップと、
手動で操作され、前記トゥーストラップ又は前記アンクルストラップのための締め具と、
移動可能なトゥーストラップの端部と移動可能なアンクルストラップの端部とを連結し、移動可能な連結機構とを有し、
前記締め具を操作することにより、前記締め具以外のストラップの端部を移動させることを特徴とするブーツのビンディングシステム。
【請求項１８】
ブーツを保持するベース板と、
前記ブーツのつま先部分を横断し、前記ベース板に対して移動可能な少なくとも１つの端部を有するトゥーストラップと、
前記ブーツのインステップ部分を横断し、前記ベース板に対して移動可能な少なくとも１つの端部を有するアンクルストラップと、
移動可能なトゥーストラップと、移動可能なアンクルストラップとを連結し、移動可能な連結機構とを有することを特徴とするブーツのビンディングシステム。
【請求項１９】
ケーブルアセンブリを有し、スノーボードブーツを保持するベース板と、
前記ケーブルアセンブリに連結された第１のストラップと、
前記ケーブルアセンブリに連結された第２のストラップと、
手動で操作され、前記第２のストラップのための締め具とを有し、
前記締め具を操作することにより、前記スノーボードブーツの上側部分に対して前記第１及び第２のストラップが固定されることを特徴とするビンディングシステム。
【請求項２０】
ベース板と、
少なくとも一端にケーブルに連結され、該ケーブルが前記ベース板に対して移動可能に連結されたトゥーストラップと、
少なくとも一端にケーブルが連結され、該ケーブルが前記ベース板に対して移動可能に連結されたアンクルストラップと、
前記アンクルストラップを前記ベース板に取り付けるために操作される締め具とを有し、
前記トゥーストラップ及び前記アンクルストラップに連結されるケーブルは、同一のケーブル又は、互いに連結された異なるケーブルであり、
前記締め具を操作することにより、前記トゥーストラップに連結されたケーブルを所定位置まで移動させ、前記締め具を更に操作することにより、前記トゥーストラップに連結されたケーブルを前記所定位置を超えて移動させることなく、前記アンクルストラップを緊張させることを特徴とするビンディングシステム。
【請求項２１】
ベース板と、
少なくとも一端がケーブルに連結され、該ケーブルが前記ベース板に移動可能に連結されたトゥーストラップと、
少なくとも一端がケーブルに連結され、該ケーブルが前記ベース板に移動可能に連結されたアンクルストラップと、
前記アンクルストラップを前記ベース板に取り付けるために操作される締め具とを有し、
前記トゥーストラップ及び前記アンクルストラップに連結されるケーブルは、同一のケーブル又は、互いに連結された異なるケーブルであり、
前記締め具を操作することにより、前記アンクルストラップを移動させるとともに、前記アンクルストラップの移動量に比例した比率で前記トゥーストラップに連結されたケーブルを移動させることを特徴とするビンディングシステム。
【請求項２２】
前記トゥーストラップに連結されたケーブルの移動量は、前記アンクルストラップの移動量の２倍であることを特徴とする請求項２１に記載のビンディングシステム。
【請求項２３】
ベース板と、
少なくとも一端がケーブルに連結され、該ケーブルが前記ベース板に移動可能に連結されたトゥーストラップと、
少なくとも一端がケーブルに連結され、該ケーブルが前記ベース板に移動可能に連結されたアンクルストラップとを有し、
前記トゥーストラップ及び前記アンクルストラップに連結されたケーブルは、同一のケーブル又は、互いに連結された異なるケーブルであり、
前記ケーブルに連結された前記アンクルストラップの端部が移動することによって、前記トゥーストラップに連結されたケーブルを移動させることを特徴とするスノーボードブーツのビンディングシステム。
【発明の詳細な説明】
【技術分野】
【０００１】
本発明は、ブーツのビンディングシステム、すなわち、アンクルストラップの引き締め時にトゥーストラップを自動的に締め付けるスノーボードブーツ用のツーストラップ・ビンディングシステムに関する。
【背景技術】
【０００２】
従来のスノーボードビンディングシステムの１つのタイプは、スノーボードにスノーボードブーツを固定するためにツーストラップを活用している。１本のストラップは、ブーツのつま先部を固定し、２本目のストラップでブーツの踵部を固定する。このタイプのブーツビンディングシステムは、フリースタイルのスノーボードに従事するスノーボーダーに好まれている。ツーストラップ・ビンディングシステムが好まれるのは、ツーストラップ・ビンディングシステムにより、快適性と高度な運動性および横方向の柔軟性が得られるからである。従来のツーストラップ・ビンディングシステムでは、つま先と踵両方のストラップの一端が側面又は内側のいずれかのスノーボードビンディングにしっかりと固定されており、もう一端がブーツのつま先又は足甲部を通り、ビンディングの反対側の留め具構造に結合できるようになっている。そのため、従来のツーストラップ・ビンディングシステムでは、各ストラップは個別にブーツをスノーボードに固定しなければならなかった。同様に、スノーボードからブーツをはずすためには２本のストラップを個別に解除する必要があった。ストラップの固定及び解除の動作が、特にスキーリフトに乗る前及びスキーリフトから降りた後の準備の際に面倒になる。
【０００３】
この問題を解決するために、“ステップイン”方式のビンディングシステムの開発も行われてきた。ステップイン・ビンディングシステムは通常、特殊ブーツのソール上のマッチングレセプタクルと連結しているビンディングベース板の上部表面にドッグ、留め金具又はペグを有している。そのため、ステップイン方式のビンディングのために特別に作られた特殊ブーツを用いる場合しか、ステップイン方式のビンディングシステムを用いることはできない。一方、ステップイン方式のビンディングでは、従来のツーストラップビンディングにおける着用感、快適性及び操作性は得ることができない。
【０００４】
したがって、従来のツーストラップ・ビンディングシステムの不利点のいくつかを除いても、ツーストラップビンディングの着用感、快適性及び操作性を有するツーストラップ・ビンディングシステムを提供する必要がある。
【発明の開示】
【課題を解決するための手段】
【０００５】
本発明は、ブールをスノーボードに固定するために用いられるビンディングに関するものである。このビンディングは、ベース板、トゥーストラップ、アンクルストラップ、トゥーストラップ又はアンクルストラップ用のストラップ締め具、トゥーストラップをアンクルストラップに連結する移動可能な連結機構を有する。締め具を操作したときに、連結機構が移動することにより、ストラップの締め具とは関係なく、ストラップを締め付けることができる。本発明では、１つのストラップの締め具を操作することにより、２つの分割されたストラップをスノーボードブーツに固定することができる。
【０００６】
移動可能な連結機構は、様々な構成の１つ又は複数のケーブルを有している。少なくとも１つのケーブルは、トゥーストラップの移動可能な端部に連結されており、同一又は異なるケーブルは、アンクルストラップの移動可能な端部に連結されている。これにより、トゥーストラップ及びアンクルストラップは、互いに連結される。したがって、一方のストラップを移動させることにより、他方のストラップを移動させることができる。本実施例において、２つのケーブルは、両側の一方において、トゥーストラップに連結することができ、トゥーストラップの両端を移動させることができる。本実施例において、トゥーストラップと共にループを構成する２つ以上のケーブルを用いることができる。本実施例において、トゥーストラップの一端は、ベース板に固定され、この固定端とは異なる端部は、移動可能なケーブルに連結されている。本実施例において、１つのトゥーストラップのケーブルを用いることにより、同一のケーブルをアンクルストラップに直接連結することができる。本実施例において、２つのトゥーストラップのケーブル、トゥーストラップの両側に位置するケーブルを用いることにより、これらのケーブルを、アンクルストラップに連結された１つのケーブルにまとめることができる。本実施例において、２つのトゥーストラップのケーブル、トゥーストラップの両側に位置するケーブルを用いることにより、２つのケーブルをアンクルストラップに直接連結することができる。本実施例において、ケーブルは、アンクルストラップに取り付けられた円形のガイド周りに配置することができる。そして、ケーブルをベース板に固定して、トゥーストラップに連結されたケーブルの移動量を増加させることができる。本実施例において、ケーブルには、該ケーブルに固定され、ベース板における対応する当接部分に当接させることによって、トゥーストラップに連結されたケーブルの移動を所定量とする阻止部材を設けることができる。ケーブルの移動量が所定量に到達すると、ストラップの締め具によって、所定量を超えて張力を発生させることはできないが、ケーブルの停止によって制限されないストラップの張力を発生させ続けることができる。本実施例において、ケーブルの移動時に圧縮するバネをケーブルに設けることができ、圧縮されたコイル状のバネを解除することによって、ケーブルにおける張力を解除することができ、ブーツをビンディングから取り外すことができる。本実施例において、ストラップの締め具は、様々な構成要素を含めることができる。ストラップの締め具の幾つかの構成要素は、ストラップに取り付けることができ、幾つかの構成要素は、ベース板に取り付けることができる。例えば、締め具として、ラチェット、歯止め及びストラップラダーを用いた場合には、ラチェット及び歯止めをアンクルストラップに設けることができるとともに、ストラップラダーをベース板に連結することができる。本実施例において、ストラップラダーは、移動可能なケーブルの１つ、例えば、トゥーストラップの一端側に連結されたケーブルを用いることにより、ベース板に間接的に連結することができる。
【０００７】
本発明のスノーボードのビンディングシステムは、トゥーストラップを締め付けたり、緩めたりする１つの締め付け機構と、アンクルストラップを締め付けたり、緩めたりする第２の締め付け機構とを必要とする従来のツーストラップのビンディングシステムとは異なる。本発明によれば、一つのストラップ（トゥーストラップ又はアンクルストラップ）を用いて、締め付け操作や緩め操作を手動で行うことができ、ストラップの締め具を手動で操作することによる締め付けや緩めによって、第２のストラップ（アンクルストラップ又はトゥーストラップ）を、自動的に締め付けたり、緩めたりすることができる。本発明のスノーボードのビンディングシステムでは、すべての製品及び型のブーツに対応することができ、ステップイン方式のビンディングシステムにおける１つの型のブーツに限定されるものではない。本発明のビンディングシステムは、ツーストラップのビンディングシステムに関連する感触、感覚および制御といった利点を維持することができることに加えて、２つの分離されたストラップを、短時間で効率よく緩めたり、締め付けたりすることができるといった利点を有する。全体的に、本発明のビンディングシステムによれば、ストラップの締め付け操作を簡単でより効率的に行うことができる。
【発明を実施するための最良の形態】
【０００８】
本発明に関する前述した態様及び付随する利点は、図面ともに、以下の詳細な説明によって、より容易に認識されると共に、より良く理解されることになる。
【０００９】
図１には、本発明によるツーストラップ・スノーボードビンディングシステム１００が示されている。ビンディングシステム１００は、トラバース面用のスノーボード又はその他の滑走板上に取り付けられるように形成される。ビンディングシステム１００は、ヒール板１４６、トゥーストラップ１０４及びアンクルストラップ１０６、アンクルストラップ留め具１０８及びトゥーストラップ１０４をアンクルストラップ１０６に連結する可動式リンテージ１１０を有するベース板１０２を含む。本実施形態では、リンケージ１１０は、アンクルストラップ１０６をトゥーストラップ１０４に連結するケーブル１２４，１２６及び１３８を含み、アンクルストラップ１０６がブーツ１１２の甲部にアンクルストラップ留め具１０８で固定されている場合、アンクルストラップ１０６に付属したケーブルでトゥーストラップ１０４をブーツ１１２のつま先部に固定するようになっている。ここで用いられているように、“ブーツの甲部”又は“つま先部”は指骨（部分的に中足骨）を覆うブーツの正面部分を指す。つま先部はブーツの甲部に隣接している。“ブーツの甲部”又は“甲部”は、ブーツのつま先部以外の部分を指し、その他の中足骨及び足根骨を覆うブーツの部分を含む。また、脚の骨を含む場合もある。様々な構造のリンケージは、ケーブルを用いることにより、アンクルストラップをトゥーストラップに可動式に連結することができる。金属製ケーブルが柔軟性、強度およびコストの面で好ましいが、ケーブルを含まない他のリンケージでもアンクルストラップがトゥーストラップと連結するように構成することが可能である。
【００１０】
トゥーストラップ１０４は、図１に示すように、二股状のトゥーストラップである。つまり、トゥーストラップ１０４は２つのセグメントから構成される。１つのセグメント１１８は、ブーツのつま先部に水平面に対して約４５°で固定される。本構成では、垂直保持部材及び水平保持部材の両方がブーツ１１２に付けられている（点線を参照）。垂直部材はブーツのつま先部がビンディングから持ち上がるのを防ぎ、水平保持部材はブーツが前方向に動くのを防ぐ。二股上のトゥーストラップ１０４の２つ目のセグメント１２０は、主に水平保持部材として、ブーツ１１２の前方向への移動を阻止する。
【００１１】
ベース板１０２は、このベース板１０２やビンディング１００を、横中央半分に二分割する長手軸に対して略対称となっている。横半分のものを、横側のものといい、中央半分のものを中央側のものという。ここでいう横とは、足を対象物としたときに、足の外側を向く側をいい、中央とは、足の内側を向く側をいう。
ベース板１０２は、側方においてベース板１０２の前部分に取り付けられた金属板１２２を有する。ベース板１０２は、剛性プラスチックで形成してもよいが、金属を用いることもできる。図１に示すように、第１のケーブル１２４及び第２のケーブル１２６は、金属板１２２にしっかりと保持されている。第１及び第２のケーブル１２４、１２６の端部はそれぞれ、締結ナット１２８、１３０によって金属板１２２に固定されている。第１及び第２のケーブル１２４、１２６はそれぞれ、二股に分かれたトゥーストラップ部分１１８、１２０の一端側から他端側にかけて縫合されている（一体となっている）。各ケーブルは、二股状のトゥーストラップ１０４の各部分に対応している。二股状のトゥーストラップ１０４及びアンクルストラップ１０６は、詰め物として用いられる気泡を備え、重ねられた布材料で形成することもできるし、他の繊維又は／及び弾性プラスチックで形成することもできる。第１及び第２のケーブル１２４、１２６は、トゥーストラップ部分１１８、１２０に縫合されているが、トゥーストラップ部分１１８、１２０は、第１及び第２のケーブル１２４、１２６に対して摺動可能となっている。トゥーストラップ１０４及びアンクルストラップ１０６は、少なくとも、ビンディングを側方半分及び中央半分に分割する長手軸を横断して側方から中央側に延びている。これにより、トゥーストラップ１０４及びアンクルストラップ１０６は、ビンディングの側方及び中央側において端部を備えた第１及び第２の側面を有する。
【００１２】
図２において、第１及び第２のケーブル１２４、１２６は、トゥーストラップ１０４のうち、各ケーブル１２４、１２６が金属板１２２に取り付けられた端部とは異なる端部において、二股状のトゥーストラップ部分１１８、１２０に設けられており、第１及び第２のケーブル１２４、１２６は、二股状のトゥーストラップ１０４の内側で露出している。ベース板１０２は、ベース板１０２の側面のうち第１の金属板１２２と対向する位置に配置された第２の金属板１３２を有する。第２の金属板１３２は、第１及び第２のケーブル１２４、１２６をガイドしている。この場合において、第２の金属板１３２は、第１及び第２のケーブル１２４、１２６をベース板１０２の下側に導くための通路を有している。このため、二股状のトゥーストラップ１０４の側方端部及び内側端部は、第１及び第２のケーブル１２４、１２６のみを介してベース板１０２に連結されている。
【００１３】
図２において、第１及び第２のケーブル１２４、１２６は、ベース板１０２の下側において、通路内を通過している。第１及び第２のケーブル１２４、１２６において、第１の金属板１２２に取り付けられている端部とは反対側の端部は、ヨーク１３６に取り付けられている。ヨーク１３６は、第３のケーブル１３８に取り付けられている。第３のケーブル１３８は、ヨーク１３６のうち、第１及び第２のケーブル１２４、１２６が取り付けられた端面と対向する端面に取り付けられている。上述した構成から明らかなように、ブーツ１１２のヒール１４０に向かう方向において、第３のケーブル１３８を任意の量だけ移動させることにより、第１及び第２のケーブル１２４、１２６を上記方向と同一の方向に移動させることができる。これにより、つま先部分を囲む第１及び第２のケーブル１２４、１２６を短くし、二股状のトゥーストラップ１０４をブーツ１１２のつま先部分に近づけることができる。第１から第３のケーブル１２４、１２６、１３８に十分な張力を持たせることにより、トゥーストラップ１０４をブーツ１１２のつま先部分に固定することができる。これにより、ベース板１０２に対してつま先部分を保持させることができる。また、第１から第３のケーブル１２４、１２６、１３８の取り付け位置について、ヨーク１３６によって、ケーブルを所定位置に停止させ、ヨーク１３６の配置によって、移動可能なケーブルの移動量を決定することができ、トゥーストラップの締め付けにおける最大限界値を決定することができる。例えば、図２に示す配置において、第３のケーブル１３８は、ヨーク１３６が構造的当接部１５２に当接するまで、後方側に移動することができる。第３のケーブル１３８は、ヨーク１３６が構造的当接部１５２に当接する位置まで移動可能となっており、構造的当接部１５２は、第３のケーブル１３８の更なる移動を阻止する。例えば、構造的当接部１５２として、ヨーク１３６よりも小さい径を有する穴部を備えた壁で構成できる。ここで、穴部は、第３のケーブル１３８を自由に通過させることができるが、ヨーク１３６の通過は阻止するようになっている。ケーブルの移動制限量は、ヨーク１３６の配置によって設定することができるが、実際には、ケーブルの移動は、上記移動制限量に到達する前に停止する。例えば、二股状のトゥーストラップがブーツのつま先部分に十分に固定される位置で、ケーブルの移動は停止することになる。これにより、更なる不必要な締め付けが発生することなく、ケーブルが更に移動しない。従って、ケーブルの移動は、ブーツに対するトゥーストラップの固定によって停止することになり、この停止は、ヨークがベース板の当接部に当接する前に生じる。
【００１４】
図２において、第３のケーブル１３８は、ベース板１０２の後方に位置しており、鞘（又は絶縁体）１４２内に挿入されている。第３のケーブル１３８は、剛性の鞘１４２の部分を除き、曲がった状態で上方及び前方に延びている。第３のケーブル１３８は、剛性の鞘１４２内に位置しており、円形のガイド１４４上でループしている。このガイド１４４は、第３のケーブル１３８が円形のガイド１４４に最初に挿入される方向に対して、ケーブルの方向を略１８０度変更する。円形のガイド１４４は、中央側におけるアンクルストラップの一端側において、アンクルストラップ１０６に固定されている。このため、アンクルストラップ１０６の中央側は、第３のケーブル１３８のみを介してベース板１０２に連結されている。第３のケーブル１３８のうち、ヨーク１３６が取り付けられている端部と異なる端部は、ベース板１０２のヒール板１４６に締結ナット１４８を介して固定されている。
【００１５】
ベース板１０２におけるヒール板１４６の部分は、延びており、ベース板１０２の側方及び中央側に連結されている。これにより、ヒールレストは、ブーツが後側に移動するのを阻止する。ハイバック１５０は、ブーツを補助的に支持するために、ヒール板１４６及びベース板１０２に連結されている。上述した構成から明らかなように、例えば、第３のケーブル１３８によってビンディングの中央側に連結されたアンクルストラップ１０６を、ブーツ１１２のインステップ部分の周りで締め付けることで、アンクルストラップ１０６を引っ張ることにより、ヒール板１４６に固定されていない端部において、第３のケーブル１３８を移動させることができる。このように第３のケーブル１３８を移動させることにより、第１及び第２のケーブル１２４、１２６を移動させて、トゥーストラップ１０４がブーツ１１２に圧接するまで、又は、ヨーク１３６が当接部１５２に当接するまで、ケーブルの弛みをとることにより、二股状のトゥーストラップ１０４をブーツ１１２のつま先部分に固定することができる。ここで、ヨーク１３６が当接部に当接すれば、第３のケーブル１３８に対して大きな張力が与えられても、第１及び第２のケーブル１２４、１２６における張力は増加しないが、アンクルストラップ１０６をブーツ１１２のインステップ部分に向けて引っ張ることができる。第３のケーブル１３８がヒール板１４６に固定された状態で、アンクルストラップ１０６におけるガイド１４４の周りでループしたケーブル構成によって、第３のケーブル１３８の移動量を倍増させ、アンクルストラップ１０６のすべての移動増加量が、第１及び第２のケーブル１２４、１２６の移動量の２倍となる。
【００１６】
図１において、アンクルストラップ１０６は、ブーツ１１２のインステップ部分において、ブーツの両側に延びている。側方において、アンクルストラップ１０６は、締め具１０８によってビンディングに締め付けられている。アンクルストラップ１０６のうち、円形のガイド１４４が設けられていない側では、アンクルストラップ１０６の中央側に取り付けられたフレーム上において、ラチェット１５２及び歯止め１５４が設けられている。ラチェット１５２及び歯止め１５４は、ストラップラダー１５６と係合するようになっている。ストラップラダー１５６は、ヒール板１４６に固定された一端と、ラチェット１５２及び歯止め１５４を介してアンクルストラップ１０６に対して連結されたり、連結を解除したりするための他端とを有している。ストラップラダー１５６は、ピン、ねじ、リベットや他の締め具を用いてヒール板１４６に取り付けられ、この取り付け部分の周りで回動可能となっている。ストラップラダー１５６は、薄型で長い、剛性ゴムや他の弾性材料で形成することができる。ストラップラダー１５６のうち、内側（例えば、ブーツ側）を向く面を、滑らかにすることができる。一方、外側を向く面は、ギザギザで、傾斜した歯や段差を有しており、これらは、ラチェット１５２上の対応する歯と係合するようになっている。フレーム上の回動軸周りにおいてラチェットハンドルを繰り返し操作することによって、係合位置を変えながら、ストラップラダー１５６をラチェット１５２及び歯止め１５４と係合させることができる。歯止め１５４は、ストラップラダー１５６の段差と係合することにより、この係合後にストラップラダー１５６が逆方向に移動するのを阻止する。歯止め１５４は、傾斜した状態において、バネによって支点周りに回動可能となっている。歯止め１５４の一端は、歯止め１５４をストラップラダー１５６の段差と係合するようにバネで付勢されており、他端は、解除取手で構成されている。この解除取手は、操作されたときに、歯止め１５４の端部を段差から離すように回動させて、ストラップラダー１５６との係合を解除させる。上述した構成から明らかなように、ストラップラダー１５６に対する歯止め１５４の係合解除は、アンクルストラップ１０６、各ケーブル１２４、１２６、１３６及びトゥーストラップ１０４における張力解除と同様である。これにより、ブーツ１１２をビンディングから取り外すことができる。
【００１７】
二股状のトゥーストラップ１０４は、移動可能な第１及び第２のケーブル１２４、１２６を介してベース板１０２に連結されており、第１及び第２のケーブル１２４、１２６は、移動可能な第３のケーブル１３８を介してアンクルストラップ１０６に連結されている。そして、アンクルストラップ１０６は、アンクルストラップ１０６を移動させる締め具１０８を有している。これにより、本発明によれば、アンクルストラップ１０６の締め具１０８を操作することにより、ブーツ１１２のインステップ部分に対して、アンクルストラップ１０６を移動させたり、固定させたりすることができる。これにより、ケーブルを移動させたり、ブーツ１１２のつま先部分に対して、二股状のトゥーストラップ１０４を同時又はほぼ同時に固定させたりすることができる。１つのストラップの締め具を操作すれば、ブーツの上面における異なる２つの部分において、２つの分離したストラップを固定することができる。従来の２つのストラップを用いたビンディングシステムとは異なり、本発明のトゥーストラップ及びアンクルストラップのいずれも、ストラップの結合を達成させるために、ビンディングの一方の側面に固定される端部を必要としない。図１に示すトゥーストラップ及びアンクルストラップでは、各ストラップの少なくとも一端は、ケーブルと移動可能に連結されている。ここで、各ストラップの各側に連結されたケーブルは、互いに連結されている。また、従来の２つのストラップを用いたビンディングシステムとは異なり、ストラップの両側のうち少なくとも一方を、ケーブルを介して、ベース板に対して固定することができる。１つのストラップと他のストラップを連結する場合には、２つの分離されたストラップをブーツ上の２つの異なる位置で固定するために、１つのストラップを用いた締め具の機構のみが必要となる。
【００１８】
同様に、アンクルストラップ１０６の歯止め１５４及びラチェット１５２に対するストラップラダー１５６の係合解除は、ブーツ１１２のインステップ部分から、アンクルストラップ１０６の圧力を解除するだけでなく、結果として、各ケーブル１２４、１２６、１３８上の張力を解除することができる。したがって、ブーツ１１２のつま先部分に対する二股状のトゥーストラップ１０４の圧力を解除することにより、ブーツ１１２をビンディングから取り外すことができる。
【００１９】
次に、図３を用いて、本発明である２つのストラップを用いたスノーボードのビンディングシステム２００の他の実施例について説明する。上述した実施例のように、ビンディング２００は、ヒール板２３６を含むベース板２０２と、一方の側において少なくとも１つのケーブルに連結されたトゥーストラップ２０４と、一方の側において少なくとも１つのケーブルに連結されたアンクルストラップ２０６と、アンクルストラップの締め具（不図示、すべての実施例における締め具は、図１に示す締め具と同じである）とを有する。トゥーストラップ及びアンクルストラップに連結されたケーブルは、アンクルストラップ２０６およびトゥーストラップ２０４を移動可能な状態で連結する。
【００２０】
図３に示すトゥーストラップ２０４は、ベース板２０２に直接連結されておらず、トゥーストラップ２０４の一端側に連結された第１のケーブル２０８と、トゥーストラップ２０４の他端側に連結された第２のケーブル２１０とを介してベース板２０２に連結されている。すなわち、トゥーストラップ２０４の両端は、ベース板２０２に対して移動可能な状態でベース板２０２に連結されている。これにより、トゥーストラップ２０４は、トゥーストラップ２０４がベース板２０２に固定されておらず、トゥーストラップ２０４がトゥーストラップ２０４を固定するためだけの分離された締め具を有していない点において、従来のツーストラップとは異なる。第１のケーブル２０８は、トゥーストラップ２０４の一端に固定されており、ベース板の１又は複数のガイドを介してアンクルストラップ２０６に導かれている。第１のケーブル２０８は、締結ナット２１２によってアンクルストラップ２０６に連結されている。同様に、第２のケーブル２１０は、対向する端部においてトゥーストラップ２０４に固定されており、第２のケーブル２１０は、ベース板２０２のガイドを介して、アンクルストラップ２０６のうち第１のケーブル２０８と同じ側に導かれている。また、第２のケーブル２１０は、締結ナット２１２によってアンクルストラップ２０６に固定されている。第１及び第２のケーブル２０８、２１０にはそれぞれ、鞘２１４、２１６が設けられており、各ケーブル２０８、２１０の移動が妨げられたり、各ケーブル２０８、２１０がすり減ったりするのを防止している。従って、アンクルストラップ２０６の一端は、トゥーストラップ２０４にも連結されている第１及び第２のケーブル２０８、２１０によって連結されている。また、第１及び第２のケーブル２０８、２１０に連結されていないアンクルストラップ２０６の他端は、自由にアンクルストラップの締め具と係合可能となっている。このため、本発明のアンクルストラップ２０６は、アンクルストラップ２０６がビンディングに直接連結されていない点において、従来のアンクルストラップとは異なっている。すなわち、ビンディングに間接的に連結されているアンクルストラップ２０６の端部は、自由に移動可能な第１及び第２のケーブル２０８、２１０と連結されている。
【００２１】
上述した説明から明らかなように、アンクルストラップ２０６の締め付けを行う場合において、アンクルストラップ２０６及び各ケーブル２０８、２１０の移動によって、ブーツのつま先部分の周りにおいてトゥーストラップ２０４を締め付けることができる。従って、アンクルストラップ２０６の締め付けによって、トゥーストラップの締め付けを自動的に行うことができる。アンクルストラップ２０６の締め具を介してアンクルストラップ２０６を引っ張ることにより、アンクルストラップ２０６及びトゥーストラップ２０４を連結する各ケーブル２０８、２１０を引っ張ることができる。このため、アンクルストラップ２０６を引っ張ることにより、ベース板２０２に近い側のトゥーストラップ２０４の各端部を引っ張ることができ、ブーツのつま先部分をベース板２０２及びスノーボードに固定することができる。以下に説明する他の実施例では、トゥーストラップの一端がベース板に固定させることができるとともに、トゥーストラップをブーツのつま先部分で閉めるように、トゥーストラップの他端をベース板に近い側に自由に移動させることができる。これらの実施例は、本発明のトゥーストラップが、トゥーストラップのためだけに用いられる特定の締め具を有していない点において、従来のトゥーストラップとは異なる。
【００２２】
各ケーブル２０８、２１０に固定されたケーブル阻止部材２３２、２３４は、各ケーブル２０８、２１０上のいずれかの位置に設けられており、各ケーブル２０８、２１０が所定の位置を超えて移動するのを阻止する。例えば、アンクルストラップ２０６を引っ張ることにより、トゥーストラップ２０４に連結された第１及び第２のケーブル２０８、２１０を、ケーブル阻止部材２３２、２３４がベース板２０２上の対応する当接部２２２、２２４に当接する位置まで引っ張ることができる。この位置において、アンクルストラップ２０６をさらに引っ張ると、各ケーブル２０８、２１０及びトゥーストラップ２０４上の張力は保持されるが、各ケーブル２０８、２１０を上記所定の位置を超えて引っ張ることはできない。したがって、各ケーブル２０８、２１０における所定量の弛みをとった後において、上記所定の位置を超えて各ケーブル２０８、２１０を移動させなくても、アンクルストラップ２０６を、ブーツのインステップ部分に対して緊張させつづけることができる。最初の段階におけるケーブル阻止部材２３２、２３４の位置は、所望の移動量が得られる位置に設定される。そして、一回の設定によって、ビンディングの使用時に、初期位置のままとすることができる。
トゥーストラップ２０４のブーツに対する締め付けは、ケーブル阻止部材２３２、２３４をベース板２０２の当接部に当接させる前に行うことが好ましい。
【００２３】
一実施例であるビンディングシステム２００において、ベース板２０２の外側に位置するバネ２２８、２３０は、ケーブル阻止部材２３２、２３４とベース板の当接部２２２、２２４との間において、各ケーブル２０８、２１０上に設けられている。バネ２２８、２３０の一端は、固定されたケーブル阻止部材２３２、２３４に当接し、バネ２２８、２３０の他端は、ベース板２０２の当接部に当接する。従って、バネ２２８、２３０は、アンクルストラップ２０６を引っ張り、各ケーブル２０８、２１０が移動するときに、圧縮される。しかし、ケーブルに固定されたケーブル阻止部材２３２、２３４が、ベース板２０２の当接部に当接することによって、バネ２２８、２３０を十分に圧縮したときには、バネ２２８、２３０は、これ以上圧縮しない。この状態において、各ケーブル２０８、２１０は、バネ荷重を受けた状態となる。ここで、アンクルストラップの締め具を元の状態に戻すことによって、各ケーブル２０８、２１０の張力を解除すると、トゥーストラップ２０４がバネの付勢力によってブーツ及びベース板２０２から離れて、各ケーブル２０８、２１０を弛ませ、ビンディングシステムからスノーボードブーツを容易に取り外すことができる。ここで、各ケーブルの端部に１つ以上のケーブル阻止部材を配置して、バネの十分な圧縮を阻止することが好ましい。例えば、ケーブル阻止部材は、ケーブルの移動が停止する前に十分に圧縮されるバネに依存せずに、ケーブルを所定の移動量に規定するバネに関連しない位置に配置することができる。
【００２４】
アンクルストラップ２０６の一端は、各ケーブル２０８、２１０のうち、トゥーストラップ２０４から離れて位置する一端と連結されている。このアンクルストラップ２０６の端部は、各ケーブル２０８、２１０を介してベース板に連結されている。これは、すべてのストラップにおける少なくとも１つの端部がビンディングに固定されている、従来の２つのストラップを用いたビンディングシステムとは対照的である。アンクルストラップ２０６の他端は、アンクルストラップの締め具を用いることにより、ビンディングに対して連結されたり、連結を解除したりすることができる。使用時においては、ブーツの底面をベース板の上面に配置するようにして、スノーボードブーツをビンディングに取り付けることができる。ブーツのつま先部分は、トゥーストラップ２０４の近傍であって、この下側に位置している。そして、アンクルストラップ２０６は、ブーツのインステップ部分を横断しており、アンクルストラップ２０６の自由端は、アンクルストラップの締め具を介してビンディングと係合している。ここで、トゥーストラップ２０４及びアンクルストラップ２０６を、緩めることができる。ストラップラダーは、アンクルストラップ２０６における歯止め及びラチェット内に挿入することができる。アンクルストラップの締め具を操作すると、各ケーブル２０８、２１０がブーツのヒール側に向かう方向に引っ張られる。そして、トゥーストラップ２０４がブーツに当接する、又は、各ケーブル２１８、２２０に固定されたケーブル阻止部材２３２、２３４がベース板２０２の対応する当接部に当接する。ここで、各ケーブルは、移動端に到達する。ケーブル阻止部材２３２、２３４がベース板２０２の対応する当接部に当接すると、アンクルストラップの締め具を更に操作することによって、アンクルストラップ２０６がブーツのインステップ部分に締め付けられ、トゥーストラップ２０４上の張力は増加もしなければ、減少もしない。したがって、アンクルストラップの１つの締め具を操作することにより、トゥーストラップ２０４及びアンクルストラップ２０６をスノーボードブーツに締め付けることができる。
【００２５】
ビンディングシステムからスノーボードブーツを取り外す場合には、ストラップラダーの鋸状の歯に対する歯止めの係合を解除する。バネを用いている場合には、バネがトゥーストラップを、ブーツのつま先部分から離れる方向に押すことによって、各ケーブルを弛ませて、ビンディングシステムに対するブーツの取り外しを補助する。
【００２６】
図４を用いて、本発明の実施例３であるビンディング３００について説明する。図４は、ベース板３０２に対するストラップ／ケーブル構成を示しており、トゥーストラップ３０４の一端はベース板３０２に固定されている。トゥーストラップ３０４は、第１の部分３０８と第２の部分３１０とで構成することができる。ここで、第１の部分３０８は、ベース板３０２に固定されている。第２の部分３１０は、ケーブル３１２に固定されており、第１の部分３０８に対して着脱可能となっている。トゥーストラップ３０４の全長は調節することができ、製造元や型が異なるブーツに対してトゥーストラップの全長を変化させることができる。例えば、トゥーストラップにおける第１及び第２の部分に連結されているねじ、くい、他の締め具を解除して全長を長くしたり、トゥーストラップにおける第１及び第２の部分を再び締め付けたりすることにより、トゥーストラップ３０４の全長を調節することができる。トゥーストラップ３０４のうち、ベース板３０２に固定されている端部とは異なる端部は、ケーブル３１２に連結されている。上述した実施例と同様に、ケーブル３１２は、ケーブル阻止部材３１４を有し、このケーブル阻止部材３１４によって、ケーブルの移動量を、許容される所定量に設定することができる。許容されるケーブルの移動量は、ブーツのつま先部分に対するトゥーストラップ３０４の固定によって制限される。ケーブル３１２上のケーブル阻止部材３１４は、ケーブル３１２上において、前後方向に摺動可能となっており、ケーブルに対する所定の移動量を設定することができる。このため、初期の段階において、スノーボードブーツにおける最大保持張力を予め設定することができる。これを決定すると、ねじ（不図示）を用いて締結すること等により、ケーブル阻止部材３１４を所定位置に固定することができる。そして、必要であれば、後に、ねじを緩めて、ケーブル阻止部材３１４の位置を変更することができる。上述した実施例のように、バネ３１６は、ケーブル３１２のうち、ケーブル阻止部材３１４及びベース板の当接部の間に設けることができる。バネ３１６は、ケーブル３１２上のケーブル阻止部材３１４及びベース板３０２上の当接部３１８によって決定される所定位置にケーブルを移動させた上で、圧縮される。さらに、ケーブル３１２は、ベース板３０２上に配置可能なガイドによって、アンクルストラップ３０６に導かれる。ケーブル３１２のうち、トゥーストラップ３０４に取り付けられる端部とは異なる端部は、締結ナット３２０を介してアンクルストラップ３０６に固定される。上述した実施形態で説明したように、アンクルストラップの締め具は、アンクルストラップ３０６を引っ張るために用いられ、アンクルストラップ３０６を引っ張ることにより、ケーブル３１２が引っ張られる。これにより、ケーブル３１２のケーブル阻止部材３１４及びベース板３０２の当接部３１８の位置によって決定される所定位置まで、スノーボードブーツに対してトゥーストラップ３０４を締め付けることができる。ケーブル阻止部材３１４がベース板３０２における対応する当接部３１８に当接するか、又は、トゥーストラップ３０４がブーツから持ち上がることによって、ケーブル３１２がこれ以上移動できない場合には、ケーブルの移動が停止する。そして、アンクルストラップの締め具を操作することにより、トゥーストラップ３０４上の張力を保持しながら、ブーツのインステップ部分にアンクルストラップを締め付けることができる。アンクルストラップの締め具を解除すると、係合しているスノーボードブーツから、アンクルストラップ３０６及びトゥーストラップ３０４を取り外すことができる。これにより、ブーツをスノーボードのビンディングから取り外すことができる。
【００２７】
図５を用いて、他の実施例であるビンディング４００について説明する。本実施例において、第１のケーブル４０２及び第２のケーブル４０４は、図３に示す実施形態と同様に、トゥーストラップ４０６の各端部に設けられている。このため、トゥーストラップ４０６の各端部は、ベース板４０８に対して移動可能となっている。第１及び第２のケーブル４０２、４０４のうち、トゥーストラップ４０６に連結された端部とは異なる端部は、ヨーク４１０に連結されている。また、ヨーク４１０は、アンクルストラップ４１４に連結されたケーブル４１２に連結されている。本実施例では、ローラ４１６、４１８がガイドとして動作し、ベース板４０８上の所定の位置に設けられている。このローラ４１６、４１８により、過大な摩擦や摩耗を発生させることなく、ケーブル４０４、４１２を容易に引っ張ることができる。上述した実施例と同様に、アンクルストラップの締め具を操作することにより、各ケーブル４０２、４０４に固定されたケーブル阻止部材４２４、４２６がベース板４０８の当接部４３０、４３２に当接するまで、各ケーブル４０２、４０４の弛みをとることができる。ここで、各ケーブルの弛みは、ブーツのつま先部分に対するトゥーストラップ４０６の所定の締め付け量を決定し、ケーブルの移動を停止させる。更に、アンクルストラップの締め具を操作することにより、ケーブル４１２の更なる移動が阻止されるため、スノーボードブーツのインステップ部分に対してアンクルストラップ４１４を締め付けることができる。上述した実施例と同様に、バネ４２４、４２２は、ケーブル４０２、４０４のうち、ケーブル阻止部材４２４、４２６及び当接部４３０、４３２の間に配置することができ、アンクルストラップ４１４の締め付け時において圧縮するとともに、アンクルストラップの締め具の係合を解除すると、トゥーストラップ４０６からブーツを取り外すことができる。
【００２８】
図６を用いて、他の実施例であるビンディング５００について説明する。本実施例においては、２つのケーブル５０２、５０４が設けられている。ケーブル５０２は、トゥーストラップ５０２の一端に連結されている。ケーブル５０２は、ベース板のガイドに延びて連結しているとともに、一端において、アンクルストラップ５０８に固定されている。本実施例において、アンクルストラップの締め具は、上述したように、ラチェット５１０、歯止め５１２およびストラップラダー５１４を有している。アンクルストラップの締め具を構成するラチェット５１０及び歯止め５１２は、アンクルストラップのうちケーブル５０２に連結されていない一端において、アンクルストラップ５０８に取り付けられている。ケーブル５０４は、トゥーストラップ５０６のうち、ケーブル５０２が連結されていない一端に連結されている。ケーブル５０４は、ベース板のガイドによって導かれており、ストラップラダー５１４と連結している。したがって、ストラップラダー５１４は、移動可能なケーブル５０４を介してベース板５２８に間接的に連結されており、アンクルストラップ５０８に加えて、ストラップラダー５１４は、ビンディングに対して自由に移動可能となっている。上述した実施例と同様に、アンクルストラップの締め具を操作することにより、ケーブル阻止部材５１６、５１８がベース板の当接部５２０、５２２に当接し、ケーブル５０２、５０４の更なる移動が阻止される位置まで移動させて、トゥーストラップ５０６に連結されたケーブル５０２、５０４の弛みをとることができる。続けてアンクルストラップの締め具を操作することにより、トゥーストラップの張力を増加又は減少させることなく、ブーツのインステップ部分に対するアンクルストラップ５０８の締め付けを行うことができる。これにより、一つのストラップの締め具を用いることにより、トゥーストラップ５０６及びアンクルストラップ５０８を締め付けることができる。上述した実施例と同様に、バネ５２４、５２６は、ケーブル５０４、５０２のケーブル阻止部材５１６、５１８及びベース板５２８の当接部５２０、５２２の間に配置することができ、アンクルストラップ２０５の締め付け時において圧縮することができるとともに、アンクルストラップの締め具の係合を解除したときには、トゥーストラップ５０６からブーツを取り外すことができる。
【００２９】
図７及び図８を用いて、他の実施例であるビンディング６００について説明する。本実施例において、トゥーストラップ６０２は、ケーブル６０４に連結されている。トゥーストラップ６０２は、ケーブル６０４を引っ張ったり、緩めたりすることによって、トゥーストラップ６０２の一端から他端までの全長を増加させたり、減少させたりすることができるように、互いに摺動可能又は、互いに移動可能な２つの部分で構成されている。ケーブル６０４の一端は、ベース板６０６の前部分に固定されている。図７に示すように、ケーブル６０４の通り道は、一般的に、トゥーストラップ６０２の曲率に沿っている。ケーブル６０４は、トゥーストラップ６０２の長さにおいて、トゥーストラップ６０２と係合している。図８は、弛み部分となる端からのトゥーストラップ６０２を示しており、トゥーストラップ６０２において、高さ寸法６０８は、トゥーストラップ６０２の両端部によって規定されるライン６１２に対する、トゥーストラップの頂点６１０の距離となっている。好ましくは、ケーブル６０４は、トゥーストラップ６０２上の幾つかの位置で係合しており、ケーブル６０４を引っ張ったときに、トゥーストラップ６０２の２つの部分６２４、６２６が摺動することにより、トゥーストラップ６０２の頂点６１０の高さ６０８を小さくすることができる。これにより、スノーボードブーツのつま先部分において締め付けることができる。図７において、ケーブル６０４の固定端部の近傍に位置する端部とは異なる端部から、ケーブル６０４はベース板のガイドによって導かれており、締結ナット６１６を介してアンクルストラップ６１４に固定されている。他の実施例のように、本実施例では、ケーブル６０４の所定位置に固定されたケーブル阻止部材６１８を用いることができる。そして、アンクルストラップの締め具を操作してアンクルストラップ６１４を引っ張ることにより、ケーブル６０４を同様に引っ張って、ブーツのつま先部分に対してトゥーストラップ６０２の頂点６１０を下側に引っ張ることができる。ケーブル６０４は、ベース板６０６の当接部６２０に対するケーブル阻止部材６１８の配置によって決定される所定量だけ移動する。上述した実施例のように、バネ６２２は、ケーブル阻止部材６１８及びベース板の当接部６２０の間に配置することができ、アンクルストラップ６１４の締め付け時において圧縮し、アンクルストラップの締め具の係合を解除したときに、トゥーストラップ６０２からブーツを取り外すことができる。
【００３０】
図９を用いて、本発明の他の実施例であるビンディング７００について説明する。本実施例において、ケーブル７０２は、ベース板７０４の一端側に固定されている。ケーブル７０２は、トゥーストラップ７０６に沿って延びており、トゥーストラップのうちケーブル７０２の固定端近傍の端部とは異なる端部において、トゥーストラップ７０６から露出している。ケーブル７０２は、ベース板７０４のガイドによって導かれて、アンクルストラップ７０８に係合している。しかしながら、本実施例において、ケーブル７０２のうち、トゥーストラップ７０６側とは反対側の端部は、アンクルストラップ７０８に固定されている。ケーブル７０２は、円形のガイド７１０を介してアンクルストラップ７０８に取り付けられており、ケーブル７０２は、図１及び図２に示した実施例と同様に、円形のガイド７１０の周囲に沿って摺動可能となっている。ケーブル７０２のうち、ベース板７０４の前部分に固定された端部とは異なる端部は、円形のガイド７１０を介してアンクルストラップ７０８に連結されており、ベース板７０４の後側で二重になっている。そして、ベース板７０４のヒール板部分７１２に固定されている。ケーブル７０２のうち、トゥーストラップ７０６側とは異なる端部は、トゥーストラップ７０６に隣接するケーブル７０２の固定端の後側と対向している。上述した構成から明らかなように、このようなケーブル構成によって、２対１の比を有する引っ張りシステムを構成することができ、これは、アンクルストラップ７０８が移動する長さにおいて、ケーブル７０２の移動距離が二倍になることを意味する。上述した実施例と同様に、アンクルストラップの締め具を操作することにより、ケーブル７０２に固定されたケーブル阻止部材７１４がベース板７０４の当接部７１６に当接するまで、ケーブル７０２を所定位置まで移動させることができる。この後は、アンクルストラップの締め具を操作しても、ケーブルは移動しないが、アンクルストラップ７０８をスノーボードブーツのインステップ部分に対して締め付けることができる。ベース板のガイドやアンクルストラップを更に用いることにより、引っ張る比率を、３対１や４対１の高い値にすることができる。また、例えば、ベース板の後側において二重となっているケーブルを備えたトゥーストラップにおける円形のガイドを用いることにより、アンクルストラップのケーブルを引っ張る比率を１以下に低減することができる。この状態において、アンクルストラップの移動長さにおいて、トゥーストラップの移動を比例的に減少させることができる。上述した実施例と同様に、バネ７１８は、ケーブル７０２のケーブル阻止部材７１４及びベース板７０４の当接部７１６の間に配置することができ、アンクルストラップ７０８の引っ張り時において圧縮し、アンクルストラップの締め具の係合を解除したときに、トゥーストラップ７０６からブーツを取り外すことができる。
【００３１】
上述した実施例では、アンクルストラップを締め付けることで、トゥーストラップを自動的に締め付けることができるビンディングシステムについて説明した。上述した構成から明らかなように、トゥーストラップを手動で操作される締め具に固定して、アンクルストラップの締め付けを自動的に行うことができる。また、すべての実施例において、追加的にバネを用いることができる。バネは、ケーブル又は、トゥーストラップを導くケーブルの任意の位置に設けることができ、ベース板に対して内部から外部に配置することができる。バネに隣接するケーブル阻止部材を用いることにより、バネを圧縮させたり、ケーブル阻止部材を圧縮させたりすることができる。さらに、ケーブルの移動を所定量に設定するために、すべての実施例において、追加的に、ケーブル阻止部材及びベース板の当接部を用いることができる。ケーブルの移動は、トゥーストラップ又はアンクルストラップに応じて停止し、いかなる場合でも、ブーツの部分において、ストラップを締め付けることができる。また、手動で操作される締め具としては、幾つかの締め具のうちの１つを用いることが好ましい。手動で操作される締め具におけるケーブルの一端は、締め具に取り付けられるストラップに取り付けたり、ケーブルを締め具自体に取り付けたりすることができる。ここで用いられるケーブルとしては、１つの長さのケーブルとするために、１つ又は複数のケーブル部分を互いに連結したものを用いることができる。さらに、複数のケーブルを用いることが好ましいが、ケーブルの強度、弾性及びコストを考慮すると、アンクルストラップを移動可能な状態でトゥーストラップに連結する他のタイプの連結を用いることができる。
【００３２】
本発明の好ましい実施例について説明したが、本発明の精神及び範囲を超えない範囲内において、様々な変更を行うことができる。
【図面の簡単な説明】
【００３３】
【図１】本発明のビンディングシステムの１つの実施例におけるブーツの輪郭を点線示した図である。
【図２】図１に示すビンディングシステムを反対側から示した図である。
【図３】本発明のビンディングシステムの他の実施例を示した図である。
【図４】本発明のビンディングシステムの他の実施例を示した図である。
【図５】本発明のビンディングシステムの他の実施例を示した図である。
【図６】本発明のビンディングシステムの他の実施例を示した図である。
【図７】本発明のビンディングシステムの他の実施例を示した図である。
【図８】図７のビンディングシステムにおけるトゥーストラップの他の実施例を示した図である。
【図９】本発明のビンディングシステムの他の実施例を示した図である。
【図１】
2007533366.tif 000003
【図２】
2007533366.tif 000004
【図３】
2007533366.tif 000005
【図４】
2007533366.tif 000006
【図５】
2007533366.tif 000007
【図６】
2007533366.tif 000008
【図７】
2007533366.tif 000009
【図８】
2007533366.tif 000010
【図９】
2007533366.tif 000011
【手続補正書】
【提出日】平成17年10月6日(2005.10.6)
【手続補正１】
【補正対象書類名】特許請求の範囲
【補正対象項目名】全文
【補正方法】変更
【補正の内容】
【特許請求の範囲】
【請求項１】
ベース板と、
少なくとも一端でケーブルに連結され、該ケーブルが移動可能に前記ベース板に連結されたツゥーストラップと、
少なくとも一端がケーブルに連結され、該ケーブルが移動可能に前記ベース板に連結されたアンクルストラップと、
前記アンクルストラップを前記ベース板に取り付けるために操作可能な締め具とを有し、
前記トゥーストラップ及び前記アンクルストラップのケーブルは、同一のケーブル又は、互いに連結された異なるケーブルであり、
前記締め具を操作することにより、前記トゥーストラップに連結されたケーブルを移動させるとともに、前記トゥーストラップに連結されたケーブルを前記ベース板に対して移動させることを特徴とするビンディングシステム。
【請求項２】
前記トゥーストラップに連結されたケーブルが固定される阻止部材を有し、
前記トゥーストラップに連結されたケーブルにおける前記阻止部材の位置は、前記締め具の操作において、前記ケーブルの移動を所定量に設定することを特徴とする請求項１に記載のビンディングシステム。
【請求項３】
前記トゥーストラップ及び前記アンクルストラップに連結されたケーブルは、同一の第１のケーブルであって、前記トゥーストラップの第２の端部は、第２のケーブルに連結されており、
前記第２のケーブルは、前記ベース板に移動可能に連結されているとともに、前記アンクルストラップにおいて前記第１のケーブルが連結された端部と同じ端部において、アンクルストラップに連結されていることを特徴とする請求項１に記載のビンディングシステム。
【請求項４】
前記トゥーストラップ及び前記アンクルストラップに連結されたケーブルは、互いに連結された異なる第１及び第２のケーブルであって、第３のケーブルは、前記トゥーストラップの第２の側に連結されており、
前記トゥーストラップに連結された第１及び第３のケーブルは、ヨークに連結されており、前記ヨークは、前記第２のケーブルに連結されているとともに、前記第２のケーブルが、前記アンクルストラップに連結されていることを特徴とする請求項１に記載のビンディングシステム。
【請求項５】
ローラが前記ベース板に設けられており、少なくとも１つのケーブルを前記アンクルストラップに導くことを特徴とする請求項１に記載のビンディングシステム。
【請求項６】
前記トゥーストラップ及び前記アンクルストラップに連結されたケーブルは、同一の第１のケーブルであって、第２のケーブルは、前記トゥーストラップの第２の端部に連結されており、
前記締め具は、前記アンクルストラップの第２の端部における構成要素と、前記第２のケーブルに連結された構成要素とを有し、
前記アンクルストラップの前記構成要素及び前記第２のケーブルに連結された前記構成要素は、互いに連結可能となっていることを特徴とする請求項１に記載のビンディングシステム。
【請求項７】
前記締め具は、ラチェット、歯止め及びストラップラダーとを有し、
前記ラチェット及び歯止めは、前記アンクルストラップに設けられ、前記ストラップラダーは、前記第２のケーブルと連結していることを特徴とする請求項６に記載のビンディングシステム。
【請求項８】
前記トゥーストラップは、互いに連結される少なくとも２つの部分を有しており、
前記トゥーストラップの一端は、前記ベース板に固定され、前記トゥーストラップの両端部間の長さは、前記２つの部分の係合を解除したり、分離した位置で前記２つの部分を再度連結したりすることによって、調節可能であることを特徴とする請求項１に記載のビンディングシステム。
【請求項９】
前記トゥーストラップに連結されたケーブルは、前記ベース板の一端側に固定されており、
前記トゥーストラップは、互いに移動可能な少なくとも２つの部分を有しているとともに、前記トゥーストラップの部分は、前記トゥーストラップに連結されたケーブルの移動において、互いを超えて移動可能であることを特徴とする請求項１に記載のビンディングシステム。
【請求項１０】
前記トゥーストラップ及び前記アンクルストラップに連結されたケーブルは、同一の第１のケーブルであって、前記第１のケーブルにおける第１及び第２の端部は、前記ベース板の第１及び第２の位置に固定されているとともに、前記第１のケーブルは、互いに移動可能な状態で前記アンクルストラップに連結されており、
前記アンクルストラップの移動量に対する、前記トゥーストラップに連結されたケーブルの移動量の比は、１以外であることを特徴とする請求項１に記載のビンディングシステム。
【請求項１１】
前記アンクルストラップの移動量に対する、前記トゥーストラップに連結されたケーブルの移動量の比は、１よりも大きいことを特徴とする請求項１０に記載のビンディングシステム。
【請求項１２】
前記アンクルストラップの移動量に対する、前記トゥーストラップに連結された前記ケーブルの移動量の比は、１よりも小さいことを特徴とする請求項１０に記載のビンディングシステム。
【請求項１３】
前記トゥーストラップに連結されたケーブルの移動量は、前記アンクルストラップの移動量の２倍であることを特徴とする請求項１０に記載のビンディングシステム。
【請求項１４】
前記トゥーストラップは、２つの部分に分割され、各部分は、互いに異なる第１及び第２のケーブルに連結されており、
第１及び第２のケーブルは、第３のケーブルと連結しており、前記第３のケーブルは、前記アンクルストラップに連結されたケーブルであることを特徴とする請求項１に記載のビンディングシステム。
【請求項１５】
前記トゥーストラップに連結されたケーブルは、ケーブルの移動に対して抗力を付与する構成の付勢機構を有することを特徴とする請求項１に記載のビンディングシステム。
【請求項１６】
前記付勢機構は、前記ケーブルに固定された阻止部材と、前記ベース板の当接部との間に配置されたバネであることを特徴とする請求項１５に記載のビンディングシステム。
【請求項１７】
ブーツを保持するベース板と、
前記ブーツのつま先部分を横断し、前記ベース板に対して移動可能な少なくとも１つの端部を有するトゥーストラップと、
前記ブーツのインステップ部分を横断し、前記ベース板に対して移動可能な少なくとも１つの端部を有するアンクルストラップと、
手動で操作され、前記トゥーストラップ又は前記アンクルストラップのための締め具と、
移動可能なトゥーストラップの端部と移動可能なアンクルストラップの端部とを連結し、移動可能な連結機構とを有し、
前記締め具を操作することにより、前記締め具以外のストラップの端部を移動させることを特徴とするブーツのビンディングシステム。
【請求項１８】
ブーツを保持するベース板と、
前記ブーツのつま先部分を横断し、前記ベース板に対して移動可能な少なくとも１つの端部を有するトゥーストラップと、
前記ブーツのインステップ部分を横断し、前記ベース板に対して移動可能な少なくとも１つの端部を有するアンクルストラップと、
移動可能なトゥーストラップと、移動可能なアンクルストラップとを連結し、移動可能な連結機構とを有することを特徴とするブーツのビンディングシステム。
【請求項１９】
ケーブルアセンブリを有し、スノーボードブーツを保持するベース板と、
前記ケーブルアセンブリに連結された第１のストラップと、
前記ケーブルアセンブリに連結された第２のストラップと、
手動で操作され、前記第２のストラップのための締め具とを有し、
前記締め具を操作することにより、前記スノーボードブーツの上側部分に対して前記第１及び第２のストラップが固定されることを特徴とするビンディングシステム。
【請求項２０】
ベース板と、
少なくとも一端にケーブルに連結され、該ケーブルが前記ベース板に対して移動可能に連結されたトゥーストラップと、
少なくとも一端にケーブルが連結され、該ケーブルが前記ベース板に対して移動可能に連結されたアンクルストラップと、
前記アンクルストラップを前記ベース板に取り付けるために操作される締め具とを有し、
前記トゥーストラップ及び前記アンクルストラップに連結されるケーブルは、同一のケーブル又は、互いに連結された異なるケーブルであり、
前記締め具を操作することにより、前記トゥーストラップに連結されたケーブルを所定位置まで移動させ、前記締め具を更に操作することにより、前記トゥーストラップに連結されたケーブルを前記所定位置を超えて移動させることなく、前記アンクルストラップを緊張させることを特徴とするビンディングシステム。
【請求項２１】
ベース板と、
少なくとも一端がケーブルに連結され、該ケーブルが前記ベース板に移動可能に連結されたトゥーストラップと、
少なくとも一端がケーブルに連結され、該ケーブルが前記ベース板に移動可能に連結されたアンクルストラップと、
前記アンクルストラップを前記ベース板に取り付けるために操作される締め具とを有し、
前記トゥーストラップ及び前記アンクルストラップに連結されるケーブルは、同一のケーブル又は、互いに連結された異なるケーブルであり、
前記締め具を操作することにより、前記アンクルストラップを移動させるとともに、前記アンクルストラップの移動量に比例した比率で前記トゥーストラップに連結されたケーブルを移動させることを特徴とするビンディングシステム。
【請求項２２】
前記トゥーストラップに連結されたケーブルの移動量は、前記アンクルストラップの移動量の２倍であることを特徴とする請求項２１に記載のビンディングシステム。
【請求項２３】
ベース板と、
少なくとも一端がケーブルに連結され、該ケーブルが前記ベース板に移動可能に連結されたトゥーストラップと、
少なくとも一端がケーブルに連結され、該ケーブルが前記ベース板に移動可能に連結されたアンクルストラップとを有し、
前記トゥーストラップ及び前記アンクルストラップに連結されたケーブルは、同一のケーブル又は、互いに連結された異なるケーブルであり、
前記ケーブルに連結された前記アンクルストラップの端部が移動することによって、前記トゥーストラップに連結されたケーブルを移動させることを特徴とするスノーボードブーツのビンディングシステム。
【国際調査報告】
2007533366.tif 000012
2007533366.tif 000013
2007533366.tif 000014
2007533366.tif 000015
2007533366.tif 000016